(57)【特許請求の範囲】
【請求項１】
工具本体を有し、当該工具本体に取付けられた先端工具を所定の駆動源で駆動させ、これによって所定の加工作業を行う動力工具であって、
前記工具本体に連接されるとともに作業者が把持するグリップ部と、
前記先端工具の駆動時に、前記工具本体ないし前記グリップ部に生ずる振れ回り振動を抑制するための自己同期機構と、を有し、
前記自己同期機構は、
位相可変式であって、前記先端工具の駆動源とは別の駆動源で回転駆動される振動子としての回転運動体を有しており、前記振れ回り振動が生ずる前記工具本体ないし前記グリップ部に設けられるとともに、前記回転運動体の位相が、前記振れ回り振動の位相に自動的に同調し、これによって当該振れ回り振動を抑制するように設定されていることを特徴とする動力工具。
【請求項２】
請求項１に記載の動力工具であって、
前記回転運動体の回転軸が前記振れ回り振動の運動平面に対して直交または交差するように設定されていることを特徴とする動力工具。
【請求項３】
請求項１または２に記載の動力工具であって、
前記先端工具が回転駆動される構成とされ、当該先端工具の回転軸と前記回転運動体の回転軸は互いに交差していることを特徴とする動力工具。
【請求項４】
請求項１〜３のいずれか１つに記載の動力工具であって、
前記回転運動体は、動力工具の重心を挟んで前記先端工具の反対側に設定されていることを特徴とする動力工具。
【請求項５】
請求項１〜４のいずれか１つに記載の動力工具であって、
前記回転運動体は、回転軸から偏心した位置に置かれるウェイトによって構成されていることを特徴とする動力工具。
【請求項６】
請求項１〜５のいずれか１つに記載の動力工具であって、
前記先端工具を駆動する駆動源としてのメインモータ、および前記回転運動体を回転駆動する駆動源としてのサブモータを有し、
前記メインモータの駆動電源が前記サブモータの駆動電源を兼用することを特徴とする動力工具。
【発明の詳細な説明】
【技術分野】
【０００１】
本発明は、先端工具の駆動時に工具本体ないしグリップ部に生ずる振れ回り振動を低減することができる手持式の動力工具に関する。
【背景技術】
【０００２】
特開２００７−２３７３５７号公報（特許文献１）は、工具本体としてのハウジングからグリップ部への振動伝達を減衰する防振構造を有する電動ディスクグラインダ等の手持式動力工具を開示している。公報に記載の防振構造は、ハウジングの軸方向端部に球面構造を介してグリップ部を連接するとともに、ハウジングとグリップ部の間に弾性部材を介在し、これによってハウジングに発生する振動のグリップ部への伝達を減衰している。
【０００３】
先端工具としての砥石を回転動作させて研削・研磨作業を行う電動ディスクグラインダの場合、当該電動ディスクグラインダに備えられた回転体（砥石、モータ等）が回転駆動されたとき、当該回転体が回転軸に関しアンバランスな状態（質量中心と回転中心がずれた状態）にあると、当該回転体は、その回転軸が当該回転軸と直交する方向（径方向）に振れた状態での回転運動、すなわち振れ回り運動を行うことになる。すると、回転体の振れ回り運動により工具本体ないしグリップ部が、電動ディスクグラインダの重心を支点としてスイング運動（円又は楕円運動）する。すなわち、工具本体ないしグリップ部の長軸線が、電動ディスクグラインダの重心を支点として、当該長軸線と直交する方向に振れた状態でスイング運動し、振れ回り振動を発生する。このような振れ回り振動は、砥石に対する負荷の有無に関係なく常時に発生する。しかるに、弾性部材を用いてグリップ部への振動伝達を減衰する従来の防振構造の場合、上記の振れ回り振動を十分に低減できないという問題があり、この点でなお改良の余地がある。
【先行技術文献】
【特許文献】
【０００４】
【特許文献１】特開２００７−２３７３５７号公報（特許文献１）
【発明の概要】
【発明が解決しようとする課題】
【０００５】
本発明は、上記に鑑みてなされたものであり、回転体のアンバランスによる振れ回り振動を効果的に低減できるように改良された手持式の動力工具を提供することをその目的とする。
【課題を解決するための手段】
【０００６】
上記課題を達成するため、本発明の好ましい形態によれば、工具本体を有し、当該工具本体に取付けられた先端工具を所定の駆動源で駆動させ、これによって所定の加工作業を行う動力工具が構成される。
本発明は、特徴的構成として、工具本体に連接されるとともに作業者が把持するグリップ部と、先端工具の駆動時に、工具本体ないしグリップ部に生ずる振れ回り振動を抑制するための自己同期機構とを有する。自己同期機構は、位相可変式であって、先端工具の駆動源とは別の駆動源で回転駆動される振動子としての回転運動体を有している。そして自己同期機構は、振れ回り振動が生ずる工具本体ないしグリップ部に設けられるとともに、回転運動体の振動の位相が、工具本体ないしグリップ部の振れ回り振動の位相に自動的に同調し、これによって当該振れ回り振動を低減するように設定されている。
【０００７】
本発明における「動力工具」は、典型的には先端工具が回転駆動されることで被加工材に加工作業を遂行する、電動ディスクグラインダ、刈り払い機等の手持式の回転工具がこれに該当するが、例えば先端工具をモータによって駆動する構成の場合であれば、当該モータの回転駆動によって工具本体ないしグリップ部に振れ回り振動が生ずる作業工具を好適に包含する。ここで、「工具本体ないしグリップ部に生ずる振れ回り振動」とは、動力工具に備えられた回転体が、当該回転体の質量中心（重心）が当該回転体の回転軸からずれた状態で回転することにより、当該回転体が回転軸と直交する方向（径方向）に振れて回転することに起因し、工具本体ないしグリップ部が、動力工具の重心を支点としてスイング運動（円又は楕円運動）することで発生する振動であり、工具本体ないしグリップ部の長軸線が当該長軸線と直交する方向に振れた状態で回転することによる振動である。動力工具に備えられた回転体は、通常複数存在する。従って、自己同期機構の回転運動体の回転数は、動力工具の回転体のうち振れ回り振動を引き起こす原因となっている１つあるいは複数の回転体の回転数に一致するように設定することが好ましい。
【０００８】
本発明によれば、動力工具の先端工具が駆動され、工具本体ないしグリップ部に振れ回り振動が生じた場合、先端工具とは別に回転駆動される自己同期機構の回転運動体の振動の位相が、工具本体ないしグリップ部の振れ回り振動の位相に自動的に同調する。これにより工具本体ないしグリップ部に発生する振れ回り振動を低減することが可能となる。
ここで「回転運動体の振動の位相が、工具本体ないしグリップ部の振れ回り振動の位相に自動的に同調する」とは、制振対象としての振動体（工具本体ないしグリップ部）に対し、それとは異なる位相可変式の振動体（回転運動体）を設定し、当該位相可変式振動体の振動の振幅および周波数を制振対象振動体の振動の振幅および周波数に合わせた場合、駆動後において時間経時とともに位相可変式振動体の振動の位相が、制振対象振動体の振動の位相と逆位相に自動的に調整されること（現象）をいう。但し、振幅については、その大きさを完全に一致させることを条件とするものではなく、少なくとも振幅の一部が相殺されるように設定すれば足りる。
【０００９】
本発明の更なる形態によれば、回転運動体の回転軸が工具本体ないしグリップ部に生ずる振れ回り振動の運動平面に対して直交または交差するように設定されている。このような設定とすることで、振れ回り振動の位相に対する回転運動体の位相の同調を効率よく行わせることができる。
【００１０】
本発明の更なる形態によれば、先端工具が回転駆動される構成とされ、当該先端工具の回転軸と回転運動体の回転軸は互いに交差している。このため、動力工具が、長尺状に形成される工具本体の長軸方向の先端領域に、先端工具としての砥石が当該工具本体の長軸方向と交差する方向の回転軸回りに回転するように取付けられる電動ディスクグラインダの場合であれば、回転運動体を工具本体側の長軸方向上に配置することが可能なため、当該回転運動体の配置スペースが確保し易い。
【００１１】
本発明の更なる形態によれば、回転運動体は、動力工具の重心を挟んで先端工具の反対側に設定されている。工具本体ないしグリップ部に生ずる振れ回り振動は、動力工具の重心を支点とする運動であり、従って、回転運動体を動力工具の重心を挟んで先端工具の反対側に設定することにより、工具本体ないしグリップ部に生ずる振れ回り振動を効率的に低減できる。
【００１２】
本発明の更なる形態によれば、回転運動体は、回転軸から偏心した位置に置かれるウェイトによって構成されている。本発明によれば、ウェイトの質量ないし回転軸からの偏心距離を調整することによって、位相可変式振動体の振動の振幅につき、制振対象振動体の振動の振幅に容易に対応させることができる。
【００１３】
本発明の更なる形態によれば、先端工具を駆動する駆動源としてのメインモータ、および回転運動体を回転駆動する駆動源としてのサブモータを有する。そしてメインモータの駆動電源がサブモータの駆動電源を兼用する構成とした。ここで「駆動電源」としては、交流電源あるいは直流電源のいずれも用いることが可能である。
【発明の効果】
【００１４】
本発明によれば、グリップ部の振れ回り振動を効果的に低減できるように改良された手持式の動力工具が提供されることとなった。
【図面の簡単な説明】
【００１５】
【図１】本発明の実施形態に係る電動ディスクグラインダの構成を示す断面図である。
【図２】電動ディスクグラインダの外観を示す平面図である。
【図３】同じく電動ディスクグラインダの外観を示す側面図である。
【図４】図１の一部を拡大して示す拡大断面図である。
【発明を実施するための形態】
【００１６】
以下、本発明の実施形態につき、図１〜図４を参照しつつ詳細に説明する。本実施の形態は、手持式の動力工具の一例として電動ディスクグラインダを用いて説明する。電動ディスクグラインダ１０１（以下、ディスクグラインダという）は、概括的に見て、ディスクグラインダ１０１の外郭を形成する本体部１０３と、本体部１０３の先端領域に配置される砥石１１３（図３参照）とを主体として構成される。本体部１０３は、モータハウジング１０５およびギアハウジング１０７を主体として構成される。本体部１０３は、本発明における「工具本体」に対応し、砥石１１３は、本発明における「先端工具」に対応する。なお、説明の便宜上、本体部１０３の長軸方向につき、砥石１１３側を前、その反対側を後という。
【００１７】
図１にはディスクグラインダ１０１の内部構造が示される。図１に示すように、モータハウジング１０５は概ね円筒形状に形成され、当該モータハウジング１０５の内部空間には駆動モータ１１１が収容されている。駆動モータ１１１は、本発明における「先端工具を駆動する駆動源」および「メインモータ」に対応する。駆動モータ１１１は、その回転軸線方向がディスクグラインダ１０１の長軸方向、すなわち本体部１０３の長軸方向と並行に配置されている。
【００１８】
モータハウジング１０５の前端部（図１の左端）に連接されるギアハウジング１０７内には、駆動モータ１１１の回転出力を砥石１１３に伝達する動力伝達機構（図１に構成部材の一部としての駆動ギア１１５と、最終出力軸としてのスピンドル１１７が示される。）が収容されている。砥石１１３は、本発明における「先端工具」に対応する。駆動モータ１１１の回転出力は、動力伝達機構１１５，１１７を介して砥石１１３に周方向の回転運動として伝達される。スピンドル１１７は、本体部１０３の長軸方向の一端側（前側）において、その回転軸線が本体部１０３の長軸方向（駆動モータ１１１の回転軸線）に対して直交する上下方向に延在されるとともに、図３に示すように、延在方向（軸方向）の一端がギアハウジング１０７から外部に所定長さで突出され、突出端部が砥石１１３を取付けるための砥石取付部１１７ａとして設定される。砥石１１３は、スピンドル１１７の砥石取付部１１７ａに着脱自在に取付けられ、スピンドル１１７と一体に回転される。
【００１９】
モータハウジング１０５の後端（図示右端）には、ディスクグラインダ１０１を操作して加工作業を行う際、作業者が握るためのグリップ部１０９が一体状に連接されている。グリップ部１０９は、図２に示すように、軸方向に沿って２分割されるとともに、当該分割された左右のグリップ分割体の先端側をモータハウジング１０５の後端部に外側から被せた状態で当該左右のグリップ分割体を互いにネジ（便宜上図示を省略する）によって締結することでモータハウジング１０５と一体化されている。なお、グリップ部１０９は、モータハウジング１０５の後端部に被さる先端領域以外の領域がモータハウジング１０５よりも細い略筒状に形成されている。また、グリップ部１０９は、その長軸方向が本体部１０３の長軸方向となるように設けられる。すなわち、グリップ部１０９は、本体部１０３の長軸方向と同方向に概ね直線状に延在されている。なお、便宜上図示を省略するが、ディスクグラインダ１０１は、グリップ部１０９のほかに、ギアハウジング１０７の側面あるいは上面に着脱自在とされた補助グリップを有する。補助グリップは、その長軸方向が本体部１０３の長軸方向に概ね直交するように装着される。作業者はグリップ部１０９および補助グリップを手で握り、砥石１１３を回転駆動して被加工材の研削作業あるいは切断作業等の加工作業を行うことができる。
【００２０】
ディスクグラインダ１０１による加工作業時において、ディスクグラインダ１０１の駆動モータ１１１、砥石１１３および駆動モータ１１１の回転出力を砥石１１３に伝達する動力伝達機構１１５，１１７等（以下、ディスクグラインダ１０１の回転体という）が回転駆動されるとき、当該回転体の質量中心が回転軸からずれた状態（回転対称につきアンバランス）にあると、当該回転体の回転軸が当該回転軸と直交する方向に振れた状態でスイング運動を行う。つまり、ディスクグラインダ１０１の回転体が振れ回り振動を発生することになり、この振れ回り振動は、砥石１１３の負荷の有無に関わらず、駆動モータ１１１を駆動し、砥石１１３を回転させた時点で発生する。本実施の形態の場合、この振れ回り振動は、主として出力側のスピンドル１１７に装着される砥石１１３のアンバランスが起因して発生する。そして、本体部１０３ないしグリップ部１０９は、図２および図３に示すように、回転体の振れ回り振動によってディスクグラインダ１０１の重心Ｇを支点とするスイング運動を行う。つまり、本体部１０３ないしグリップ部１０９は、本体部１０３の長軸線Ｌと直交する方向（径方向）に振れてスイングする。更に言えば、本体部１０３ないしグリップ部１０９には、ディスクグラインダ１０１の重心Ｇを支点として、当該重心Ｇを通って延在する本体部１０３の長軸線Ｌと直交する平面（図１の紙面に直交するＸ軸と紙面の上下方向のＹ軸とによって規定されるＸ−Ｙ平面）に沿って振れた状態でのスイング運動、すなわち振れ回り振動を生ずる。
【００２１】
そこで、本実施の形態においては、ディスクグラインダ１０１の回転体のアンバランスによって本体部１０３ないしグリップ部１０９に発生する本体側振れ回り振動を低減するべく、本体部１０３には、図１に示すように、振動低減手段としての自己同期防振機構１２１が搭載されている。自己同期防振機構１２１は、本発明における「自己同期機構」に対応する。
【００２２】
自己同期防振振機構１２１は、図１の一部を拡大した図４に示すように、振動発生駆動源としてのサブモータ１２３と、当該サブモータ１２３によって回転駆動される振動子としての偏心ウェイト１２５とを主体として構成される。偏心ウェイト１２５は、本発明における「回転運動体」に対応する。偏心ウェイト１２５は、サブモータ１２３の出力軸１２３ａ上に固定状に設けられるとともに、当該出力軸１２３ａの回転軸線から当該回転軸線と交差する方向に所定量だけ離間（偏心）した位置に当該偏心ウェイト１２５の重心が置かれるように設定されたアンバランス部材として備えられる。
【００２３】
自己同期防振機構１２１は、モータハウジング１０５における駆動モータ１１１の後方領域において、サブモータ１２３の回転軸線、従って偏心ウェイト１２５の回転軸線が、ディスクグラインダ１０１に発生する振れ回り振動の運動平面（Ｘ−Ｙ平面）に対して直交するように配置されている。すなわち、サブモータ１２３の回転軸線が、ディスクグラインダ１０１の重心Ｇを通って前後方向に延在する本体部１０３の長軸線Ｌに対して同軸上に配置されている。また、サブモータ１２３の回転方向、従って偏心ウェイト１２５の回転方向は、ディスクグラインダ１０１に発生する振れ回り振動の回転方向と同じ向きに設定される。
【００２４】
上記のように構成される自己同期防振機構１２１は、サブモータ１２３によって偏心ウェイト１２５が回転駆動されることで、当該偏心ウェイト１２５の回転軸線と直交する平面に沿った振れ回り振動を発生する。以下の説明では、自己同期防振機構１２１が発生する振れ回り振動を、ウェイト側振れ回り振動という。自己同期防振機構１２１は、本体側振れ回り振動に対してウェイト側振れ回り振動の相対的な位相を可変とする位相可変式の振動発生装置（振動源）を構成するものであり、ウェイト側振れ回り振動の振幅および周波数を、本体側振れ回り振動の振幅および周波数に合せるように調整される。なお、本実施の形態では、偏心ウェイト１２５の回転数を、本体側振れ回り振動の発生原因となっているスピンドル１１７と共に回転する砥石１１３の回転数と一致させている。要するに、本体側に振れ回り振動を発生させる回転体の回転数と一致するように設定される。また、ウェイト側振れ回り振動の振幅については、偏心ウェイト１２５の質量および回転軸線からの偏心距離を変えることで調整される。
【００２５】
なお、本実施の形態では、駆動モータ１１１は、交流モータであり、サブモータ１２３は、直流モータである。従って、駆動モータ１１１は、外部からコードを経て供給される交流電源で駆動され、サブモータ１２３は、交流を直流に変換するコンバータを経て供給される直流電源で駆動される。そして、グリップ部１０９に設置されたトリガ１０９ａが引き操作されることで通電駆動されるよう構成される。
【００２６】
本実施形態のディスクグラインダ１０１は、上記のように構成されている。ディスクグラインダ１０１によって加工作業を行なうべくトリガ１０９ａを引き操作した場合、駆動モータ１１１およびサブモータ１２３がそれぞれ通電駆動される。駆動モータ１１１の駆動により動力伝達機構１１５，１１７を経て砥石１１３が回転駆動され、それに伴い本体部１０３ないしグリップ部１０９に本体側振れ回り振動が発生する。一方、サブモータ１２３の駆動により偏心ウェイト１２５が回転駆動されることで自己同期防振機構１２１がウェイト側振れ回り振動を発生する。ウェイト側振れ回り振動の振幅および周波数を、本体側振れ回り振動の振幅および周波数に合せてあるため、駆動後において時間径時とともに当該ウェイト側振れ回り振動の位相（偏心ウェイト１２５の位相）が、制振対象としての本体側振れ回り振動の位相に対して逆位相に自動的に調整される。すなわち、自己同期防振機構１２１によって発生させた振れ回り振動は、ディスクグラインダ１０１に発生する振れ回り振動を増幅させることなく低減させるように逆位相で同調する。これにより本体部１０３ないしグリップ部１０９の振れ回り振動を低減することができる。
【００２７】
このように、本実施の形態によれば、ディスクグラインダ１０１の回転体とは別途にアンバランスを持った偏心ウェイト１２５を設定し、ディスクグラインダ１０１の本体部１０３に発生する振れ回り振動に対して、偏心ウェイト１２５の回転により発生する振れ回り振動を作用させることで、ディスクグラインダ１０１の振れ回り振動を低減させる構成としている。従って、偏心ウェイト１２５の振れ回り振動の振幅および周波数を、制振対象としての本体側振れ回り振動の振幅および周波数に合せることで、広範囲の振幅および周波数に応じた振動を低減することが可能となる。この場合、振幅については、その大きさが完全に一致することを条件にするものではなく、例えば偏心ウェイト１２５の振れ回り振動の振幅が本体側振れ回り振動の振幅よりも小さい場合であっても、本体側振れ回り振動の振幅の一部については相殺（低減）することが可能となる。
【００２８】
また、本実施の形態によれば、本体部１０３に対してグリップ部１０９を一体成形あるいはネジ等の止着手段で接合することが可能なことから、グリップ部１０９の本体部１０３に対する取付剛性を高めることができる。特許文献１に開示された弾性部材による防振構造の場合であれば、グリップ部１０９が本体部１０３に対して弾性部材を介して相対的に変形する構成であるため、加工作業時において、使用感（操作性）が悪いものとなる。しかるに、本実施形態によれば、上記のように、グリップ部１０９の取付剛性を高くできることで、加工作業時におけるグリップ部１０９の操作性を向上できる。
【００２９】
また、本実施の形態では、偏心ウェイト１２５の回転軸線が本体側振れ回り振動の運動平面（Ｘ−Ｙ平面）に対して直交するように設定している。このため、本体側振れ回り振動の位相に対するウェイト側振れ回り振動の位相の同調を効率よく行わせ、防振効果を向上することが可能となるが、直交に限らず交差する形態であれば、防振効果を得ることができる。
【００３０】
本実施の形態では、自己同期防振機構１２１は、本体部１０３のうちディスクグラインダ１０１の重心Ｇを挟んで砥石１１３の反対側であるモータハウジング１０５内に設置する構成である。このため、自己同期防振機構１２１の配置スペースが確保し易いとともに、本体側振れ回り振動を効率よく低減できる。
【００３１】
また、本実施の形態では、偏心ウェイト１２５の質量ないし回転軸線からの偏心距離を調整することによって、ウェイト側振れ回り振動の振幅を、制振対象として本体側振れ回り振動の振幅に容易に対応させることができる。
【００３２】
また、本実施の形態では、砥石１１３を駆動する駆動モータ１１１とサブモータ１２３を共通の駆動電源で駆動する構成としたので、駆動回路を合理的に構築することが可能となる。この場合、本実施の形態では、交流電源を用いるとして説明したが、直流電源（充電式バッテリ）を用いてもよい。
【００３３】
なお、本実施の形態は、動力工具の一例としてディスクグラインダ１０１に適用した場合で説明したが、これに限らず、例えば刈り払い機等のように、先端工具の回転駆動時に回転体のアンバランスによって工具本体ないしグリップ部に振れ回り振動が生ずるような動力工具であれば、適用可能である。
【００３４】
また、自己同期防振機構１２１の駆動源は、電気モータに限らず、エアモータ、エンジンを用いてもよい。
【００３５】
上記発明の趣旨に鑑み、下記のごとき態様が構成可能である。
（態様１）
「請求項１〜６のいずれかに記載の動力工具であって、
前記動力工具は、前記先端工具が、回転駆動されることで被加工材に研削・研磨加工を行う砥石によって構成されている電動ディスクグラインダであることを特徴とする動力工具。」
【００３６】
（態様２）
「態様１に記載の動力工具であって、
前記先端工具を駆動する駆動源としてのメインモータ、および前記回転運動体を回転駆動する駆動源としてのサブモータを有し、前記メインモータとサブモータは、互いに近接して配置されていることを特徴とする動力工具。」
【符号の説明】
【００３７】
１０１  電動ディスクグラインダ（動力工具）
１０３  本体部（工具本体）
１０５  モータハウジング
１０７  ギアハウジング
１０９  グリップ部
１０９ａ  トリガ
１１１  駆動モータ（駆動源、メインモータ）
１１３  砥石（先端工具）
１１５  駆動ギア
１１７  スピンドル
１２１  自己同期防振機構（自己同期機構）
１２３  サブモータ（回転運動体の駆動源）
１２３ａ  出力軸
１２５  偏心ウェイト（回転運動体）
【図１】
0005535051.tif 000002
【図２】
0005535051.tif 000003
【図３】
0005535051.tif 000004
【図４】
0005535051.tif 000005